(57)【要約】      （修正有）【課題】水槽フィルタの点検が容易に出来るようになる、フィルタハウジング及びフィルタカートリッジ装置を含む水槽フィルタを提供すること。【解決手段】水槽フィルタ装置（１０）は、フィルタハウジング（１２）、及び自己位置配置構造を含むフィルタカートリッジ（１４）を含んでいる。自己位置配置構造は、自動的にフィルタカートリッジ（１４）を濾過動作可能位置に配置されるように構成されている。濾過動作可能位置は、フィルタカートリッジ（１４）がフィルタハウジング（１２）内に形成されたシングルリブ（４８）に対して据え置かれるような位置である。【選択図】図１
2009095337.tif 000002
【特許請求の範囲】
【請求項１】
ａ）フィルタリングチャンバを画定する前面壁、背面壁、及び対向する側面壁を含むフィルタハウジングと、
ｂ）それ自体の背後側から外向きに突出したタブを含み、フィルタハウジングのフィルタリングチャンバの内部に配置可能なフィルタカートリッジと、を含み、
ｃ）フィルタカートリッジのタブはフィルタハウジングの背面に接触し、フィルタカートリッジをフィルタハウジング内に配置したときに、フィルタカートリッジを背面からある距離だけ間を開ける、水槽フィルタ装置。
【請求項２】
フィルタカートリッジは、フィルタカートリッジをフィルタハウジング内に配置したときに、フィルタリングチャンバ内に形成されるシングルリブに反対方向に据え付けられる、請求項１に記載の装置。
【請求項３】
シングルリブは、第一及び第二の垂直リブ部を含み、第一及び第二の垂直リブ部の各々は、フィルタハウジングの側面壁の一つの内側表面上に形成されている、請求項１に記載の装置。
【請求項４】
シングルリブは、さらにフィルタハウジングの底面内側表面に沿って形成された相互連結リブ部を含む、請求項３に記載の装置。
【請求項５】
フィルタカートリッジは、フィルタハウジング内に配置されたときに、フィルタリングチャンバを未濾過水チャンバ側及び濾過水チャンバ側に分割し、フィルタカートリッジとフィルタハウジングの背面壁との間の距離は、未濾過水チャンバ側の深さを画定する、請求項１に記載の装置。
【請求項６】
フィルタリングチャンバの底部領域に位置するフィンをさらに含み、フィンは、フィルタカートリッジをフィルタハウジング内に配置したときに、フィルタカートリッジを、フィルタハウジングの前面壁の方向に誘導する、請求項１に記載の装置。
【請求項７】
フィルタカートリッジは、第一の端及び第二の端を含み、第二の端はテーパー状構造を含んでいる、請求項１に記載の装置。
【請求項８】
フィルタカートリッジは、カートリッジをフィルタカートリッジの背面壁から間を開ける複数のタブを含み、タブはフィルタカートリッジの第一の端に隣接して位置する上部タブと、第二の端に隣接して位置する下部タブを含む、請求項７に記載の装置。
【請求項９】
フィルタカートリッジは、支持フレーム及び支持フレームの内部領域の中に位置する濾過媒体を含む、請求項１に記載の装置。
【請求項１０】
支持フレームは、第一のフレームセクション及び第二のフレームセクションを含み、第一及び第二のフレームセクションは、蝶番結合で互いに接続されている、請求項９に記載の装置。
【請求項１１】
タブは、対向する主平板表面によって画定される概ね平らな構造を含み、対向する主平板表面は、一般に、フィルタカートリッジの背面側に対して垂直方向に向いている、請求項１に記載の装置。
【請求項１２】
ａ）フィルタカートリッジを、フィルタハウジングの上側開口部内の濾過動作位置からオフセットされた領域に配置するステップを含む、フィルタハウジング及びフィルタカートリッジを含む水槽フィルタを組み立てる方法であって、
ｂ）フィルタカートリッジが、フィルタハウジングの内部で下向きに動くとき、フィルタカートリッジは、自動的に、濾過動作位置に前進し、フィルタカートリッジはフィルタリングチャンバを、濾過動作位置において、未濾過水チャンバ側及び濾過水チャンバ側に分割する方法。
【請求項１３】
フィルタカートリッジは、フィルタカートリッジが自動的に濾過動作位置に前進するときに、フィルタリングチャンバ内に形成されるシングルリブに反対方向に据え付けられる、請求項１２に記載の方法。
【請求項１４】
フィルタカートリッジは、自動的にカートリッジをフィルタハウジングの直立な壁から間をおいて配置する、請求項１２に記載の方法。
【請求項１５】
ａ）第一の端及び第二の端、並びに第一の側面および第二の側面を含み、第一の側面及び第二の側面は水槽水がその中を通過することが許容されるように大部分が開口している支持フレームと、
ｂ）支持フレームの第一の端に配置しているハンドルと、
ｃ）キャリアを水槽フィルタカートリッジの直立壁から間を開けるようにし、サポートフレームの第一及び第二の側面の一つから、その側面に関して横方向に外向きに突出しているタブと、を含む水槽フィルタハウジングの中で用いるフィルタカートリッジキャリア。
【請求項１６】
支持フレームの第二の端はテーパー状構造を含んでいる、請求項１５に記載のフィルタカートリッジキャリア。
【請求項１７】
さらに、カートリッジを水槽フィルタハウジングの直立壁から間を開ける複数のタブを含み、
タブは、支持フレームの第一の端に隣接して位置する上部タブと、第二の端に隣接して位置する下部タブを含む、請求項１５に記載のフィルタカートリッジキャリア。
【請求項１８】
支持フレームは、第一の側面を画定する第一のフレームセクション、及び第二の側面を画定する第二のフレームセクションを含み、第一及び第二のフレームセクションは蝶番結合で互いに接続されている、請求項１５に記載のフィルタカートリッジキャリア。
【請求項１９】
タブは、対向する主平板表面によって画定される概ね平らな構造を含み、対向する主平板表面は、一般に、フィルタカートリッジの背面側に対して垂直方向に向いている、請求項１５に記載のフィルタカートリッジキャリア。
【請求項２０】
ａ）第一の端及び第二の端、並びに第一の側面および第二の側面を含む支持フレームと、
ｂ）支持フレームに関して固定されている濾過媒体と、
ｃ）支持フレームの第一の端に位置しているハンドルと、
ｄ）カートリッジを水槽フィルタハウジングの直立壁から間を開け、サポートフレームの第一及び第二の側面の一つから、その側面に関して横方向に外向きに突出しているタブと、を含む水槽フィルタハウジング内に用いられるフィルタカートリッジ。
【請求項２１】
支持フレームは、第一及び第二の側面の間に内部領域を画定し、濾過媒体は支持フレームの内部領域の内部に位置している、請求項２０に記載のフィルタカートリッジ。
【請求項２２】
第一の側面及び第二の側面のそれぞれは、水槽水がその中を通過することが許容されるように大部分が開口している、請求項２０に記載のフィルタカートリッジ。
【請求項２３】
支持フレームの第二の端は先細りする構造を含んでいる、請求項２０に記載のフィルタカートリッジ。
【請求項２４】
さらに、カートリッジを水槽フィルタハウジングの直立壁から間を開ける複数のタブを含み、
タブは、支持フレームの第一の端に隣接して位置する上部タブと、第二の端に隣接して位置する下部タブを含む、請求項２０に記載のフィルタカートリッジ。
【請求項２５】
支持フレームは、第一の側面を画定する第一のフレームセクション、及び第二の側面を画定する第二のフレームセクションを含み、第一及び第二のフレームセクションは蝶番結合で相互接続されている、請求項２０に記載のフィルタカートリッジ。
【発明の詳細な説明】
【技術分野】
【０００１】
本開示は、全般的には、水槽工業で用いられるデバイス及びそのようなデバイスと関連する様々な方法に関する。特に、本開示は濾過水槽水の中で用いられるフィルタハウジング及びフィルタカートリッジに関する。
【０００２】
水槽の中の生態学的均衡を維持するため、水槽水をきれいにする必要がある。クリーニングは、多くの場合、水槽水をフィルタハウジングに通過させて濾過ことによってなされる。フィルタハウジング内では、水はフィルタリングチャンバに入り、濾過材を通過し、その後水槽に戻される。通常の濾過作業を通じて、様々な微粒子が濾過材に捕捉され、ユーザに濾過材の定期的点検（保守及び／又は交換）を要求する。
【０００３】
ほとんどの水槽設備では、フィルタハウジングは水槽の背面に又は背面近くに配置される。濾過材を点検するときには、ユーザは濾過材をフィルタハウジングから取り外す、及び／又はフィルタハウジングに挿入するが、フィルタハウジングが背面水槽壁に、又は平面水槽壁近くに固定されたままである。共通の不満足点は、点検手続き、特に濾過材のハウジングへの挿入が、難しくなり得ることである。とりわけ、従来のフィルタハウジングは、多くの場合、濾過材の各端が濾過材を挿入するため、その中で濾過材の各端が位置を微調整されなければならないスロットを画定する、平行なガイドレールを含んでいる。フィルタハウジングの背面壁配置が与えられると、配列及び挿入は繊細さと熟練を要する挑戦となり得る。
【０００４】
全般的に言って、概ねユーザの使いやすさに配慮すべく、そのようなフィルタデバイスおよび装置に関して改良が追及されてきた。
【発明の開示】
【課題を解決するための手段】
【０００５】
本開示は、ユーザが水槽フィルタの容易な点検を出来るようになる、フィルタハウジング及びフィルタカートリッジ装置を含む水槽フィルタに関わる。フィルタハウジング及びカートリッジ装置は、自動的にフィルタカートリッジをフィルタハウジングに対して濾過動作可能位置に配置する、自己位置配置、又は自己間隔確保構造を含んでいる。濾過動作可能位置が意味することは、フィルタカートリッジが濾過動作のために適切に配置されていることである（即ち、カートリッジはフィルタハウジングを通過する水は、概ね濾過目的でフィルタカートリッジを通過する）。さらに、「自動的に」が意味することは、ユーザの巧妙な操作とは対照的に、濾過動作位置にフィルタカートリッジが据え置かれる、又は配置されるような装置の構造である。本フィルタでは、ユーザはハウジングに対してフィルタカートリッジの位置を微調整することに繊細さ、又は経験的に熟練した技術を必要としない、つまり、挿入されると、カートリッジ及びハウジング装置の構造は、フィルタカートリッジを適切に濾過動作位置に配置する、又は据え置く。
【０００６】
好適な製品特徴又は方法の様々な例を、一部は以下の記載で述べ、また一部は記載から明らかであろうし、又は開示の様々な側面を実施することによって知ることが出来るだろう。開示の側面は、個々の特徴と関連していることもあるし、複数の特徴の組み合わせに関連していることもあろう。先行する一般的な記載、及びそれに続く詳細な記載は、説明だけのものであり、クレームされた発明に限定されない。
【発明を実施するための最良の形態】
【０００７】
以下では、添付の図面に示した本開示の代表的な側面について詳細に言及を行う。可能な限り、一連の図面を通して、同一の参照符号を同一の又は類似の部品を参照するために用いる。
【０００８】
図１は、開示の発明に従った特徴を有するフィルタカートリッジ１４（例えば、濾過材、濾過材アセンブリ、又はフィルタカートリッジアセンブリ）を含む水槽フィルタ１０である。フィルタ１０は、水槽内で使用されるように構成されている。しかしながら、本フィルタの特徴は、例えば、池への応用のような他の水に関する応用に対して構成されるフィルタにも用いることが出来る。
【０００９】
以下でより詳細に記述するように、本フィルタ１０は、点検をするのが容易、又は便利なように構成されている。特に、一つの側面として、開示のフィルタハウジング１２及びフィルタカートリッジ１４は、ユーザが簡単にフィルタカートリッジをフィルタハウジングに配置する、又は据え置くことが可能となるように構成されており、ハウジングとカートリッジは、フィルタカートリッジを濾過動作のための正しい、又は適切な位置に据え付ける自己位置配置、又は自己間隔確保構造を含んでいる。
【００１０】
図１及び２を参照すれば、水槽フィルタ１０のフィルタハウジング１２は、内部フィルタリングチャンバ１６を画定する。濾過の間、フィルタカートリッジ１４は、内部フィルタリングチャンバ１６の内部に配置される。フィルタカバー１８は、ハウジング１２内にフィルタカートリッジ１４を取り囲むように、フィルタチャンバ１６の上に配置され得る。図示されている実施形態では、カバー１８は、フィルタチャンバ１６へのアクセスを与えるドア２０を含む。フィルタカートリッジ１４は、ドア２０を介してフィルタチャンバ１６から取り外す、又はフィルタチャンバ１６に挿入することが可能である。それとは別の実施形態では、フィルタカートリッジ１４を取り外す、又は挿入するために、全面カバー１８は取り外すことができる。
【００１１】
フィルタハウジング１２は、概ねメインフィルタハウジング部２２、（図８に示すように）ハウジングインプット２４、及びハウジングアウトプット２６を含んでいる。水槽フィルタ１０のメインフィルタハウジング部２２は、前面壁３８、背面壁４２、（図８に示すように）第一の側面壁４４、第二の対向する側面壁４６、及び底面壁４７を含んでいる。前面、背面、側面、及び底面壁は、フィルタリングチャンバ１６を画定する。メインフィルタハウジング部２２の上端４５（図８）は、フィルタカートリッジ１４を受け入れるために開口している。フィルタハウジングのさらなる詳細は、米国特許出願番号１１／８９３３６７（１２７４２．１１８ＵＳ０１なる代理人整理番号及び曲線的な底を有する水槽フィルタハウジングなる題名を含んでいる）に記載されている。
【００１２】
図８を参照すれば、ハウジング１２のインプット２４は、メインフィルタハウジング部２２の側面の一つに位置している。図示されている実施形態では、入口２４は、メインフィルタハウジング部２２の第一の側面壁４４に位置している。水は、水槽からハウジングインプット２４を通ってフィルタリングチャンバ１６に汲み上げられる、又は導かれる。特に、そして図１に戻れば、水槽フィルタ１９は、ハウジングインプット２４と流体連通状態にある、吸入アセンブリ３６を含んでいる。吸入アセンブリ３６は、モータハウジング８８の内部に収容されている（図示されていない）モータを含んでいる。モータは、水をインプット２４に誘導する吸入チューブ９０を介して水を水槽から汲み上げる。そしてインプット２４は水をフィルタハウジング１２のフィルタリングチャンバ１６に誘導する。
【００１３】
ここで図３を参照すると、フィルタカートリッジ１４がフィルタチャンバ１６の内部に配置されているときには、フィルタカートリッジ１４は、フィルタチャンバ１６を、上流未濾過水チャンバ側２８と、下流濾過水チャンバ側３０とに分割する。上流未濾過水チャンバ側２８は、ハウジング１２の中の下流濾過水チャンバ側３０の背面側に位置している。利用に際しては、水は重力によって背面の未濾過水チャンバ側２８から、フィルタカートリッジ１２を通過して、前面の濾過水チャンバ側３０に流れる。
【００１４】
下流の、濾過水チャンバ側３０から、濾過された水は、ハウジングアウトプット２６の通路によって水槽に戻される。特に、濾過水チャンバ側３０の中では、メインフィルタハウジング部２２の前面壁３８から出て行くまで、水は上昇して行くことになる（矢印を参照）。図示した実施形態では、アウトプット２０はメインフィルタハウジング部２２の前面壁３８の中に形成された余水路リップ４０を含んでいる。
【００１５】
ここで、図４及び５を参照すると、本開示のフィルタカートリッジ１４は、概ねキャリア又は支持フレーム５０、及び支持フレーム５０と交わるように固定されている濾過材又は濾過媒体５２とを含んでいる。キャリア３６は、第１の端４０及び反対の第２の端４２を含んでいる。図示されている実施形態では、支持フレーム５０は、全般的にテーパー状の（先細りする）、又は狭くなる構造を含んでいる。特に、そして図５に示したように、支持フレーム５０は、第一の端５４から第二の端５６に向かって先細りする。ハンドル５８は、フィルタカートリッジ１４を処置する、及び運搬するために、支持フレーム５０の第一の端５４に配置される。
【００１６】
図４を参照すれば、支持フレーム５０は、支持フレーム５０の前面側を画定する第一の前面フレームセクション６０、及び支持フレームの背面側を画定する第二の背面フレームセクション６２を含んでいる。フレームセクション６０、６２は、蝶番接続８４で互いに接続されている。蝶番接続８４は、セクション６０、６２が閉位置から濾過媒体５２にアクセスを提供する開位置に、互いに関して蝶番、又は回転することを可能にしている。
【００１７】
特に、濾過媒体５２は、前面及び背面フレームセクション６０、６２の間、つまり、フレームセクションによって画定されるカートリッジ内部６４の中に取り付けられる、又は保持される。蝶番接続８４は、ユーザに、濾過媒体をカートリッジ内部６４から取り外す、又は濾過媒体を挿入するために、支持フレーム５０を開閉することを可能にしている。そのような蝶番接続のさらなる詳細は、米国特許出願番号１１／８９３３８３（１２７４２．１１６ＵＳ０１なる代理人整理番号及び水回収機能を有するフィルタカートリッジアセンブリなる題名を含んでいる）に記載され、この出願はここに参考文献として組み込まれる。また、開示の支持フレーム５０に使用可能である濾過媒体のさらなる詳細は、米国特許出願番号１１／８９３３８５（１２７４２．１１４ＵＳ０１なる代理人整理番号及び炭素外郭を有するフィルタカートリッジの構造）なる題名を含んでいる）に記載され、この出願はここに参考文献として組み込まれる。
【００１８】
図示された実施形態では、支持フレーム５０の前面向き、及び背面向き側面の各々は、水が濾過媒体５２を通過するように大部分が開いている。大部分が開いている、という意味は、支持フレーム５０の前面向き及び背面向き側面は、構造体の表面領域の前面向き及び背面向き側面の各々よりも広い開口領域を含むことである（図２及び５を参照）。支持フレーム５０の内部で、濾過媒体５２の相対的な配置／据え置きを保障するために、横方向横断支持体６６が設けられてもよい。
【００１９】
図４及び５を参照すれば、フィルタカートリッジ１４はさらに、支持フレーム５０の背面フレームセクション６２から外向きに広がる、又は出っ張った、少なくとも一つの突出タブ７０（例えば、スペーサ又はリブ）を含んでいる。図示された実施形態では、フィルタカートリッジは、支持フレーム５０の第一の端５４に隣接して位置する第一及び第二の上方タブ７２、７４、及び支持フレームの第二の端５６に隣接して位置する下方タブ７６を含んでいる。上方タブ７２、７４は、支持フレームの第一の端５４に位置している水回収構造６８上に設けられている。このような水回収構造のより詳細は、米国特許出願番号１１／８９３３８３（１２７４２．１１６ＵＳ０１なる代理人整理番号及び水回収機能を有するフィルタカートリッジアセンブリなる題名を含んでいる）に記載されて、この出願はここに参考文献として組み込まれる。下方タブ７６は、横断支持体６６の中心部に位置している。（タブ７２、７４、７６を含む）タブ７０の各々は、支持フレーム５０の背面側に対して、横方向に広がっている。
【００２０】
図６及び７を参照すれば、フィルタカートリッジ１４がフィルタハウジング１２の内部フィルタリングチャンバ１６に置かれる、又は配置されるとき、タブ７０は、フィルタハウジング１２の背面壁４２に接し、フィルタカートリッジ１４を背面壁４２からある距離だけ間を開けている。図３に戻れば、フィルタカートリッジが開けられている距離は、一般的には、フィルタハウジング１２の濾過されていない水チャンバ側２８の深さＤを画定する。
【００２１】
ここで、図８及び９を参照すれば、フィルタカートリッジ１４の前方への間合いは、フィルタハウジング１２のフィルタリングチャンバ１６に備えられる保持構造によって制限される。特に、フィルタハウジング１２は、フィルタカートリッジ１４の前方への配置を抑止するシングルリブ又は隆起部４８を含んでいる。シングルリブが意味することは、濾過材をその間に取り込む二つの平行なリブ（例えば、サイド・バイ・サイドリブ）に対向するように、唯一つのリブが設けられていることである。シングルリブは、一体の長いリブ、又は間隔の開いたリブ部を含む区分けされたリブを含み得る。フィルタカートリッジ１４がフィルタハウジング１２の中に配置されたとき、フィルタカートリッジ１４はシングルリブ４８に据え付けられる。
【００２２】
図示された実施形態では、シングルリブ４８は、フィルタハウジング１２の第一及び第二の側面壁４４及び４６の内部表面上に形成される、少なくとも第一及び第二の垂直リブ部７８、８０を含んでいる。第一及び第二の垂直リブ部７８、８０を接合する接合リブ部８２が、ハウジングの底面内側表面に沿って形成されている。シングルリブ４８は、フィルタカートリッジを適切に配置するための対向する制約を与える役割を果たすのみならず、シングルリブ４８はさらにフィルタカートリッジ１４の端の下、又は周囲を迂回する水の流れを妨げる役割を果たす。水は、その代わり、概ねフィルタカートリッジを通過するように流れる。
【００２３】
フィルタカートリッジ１４の据え付けのためには、ユーザは単に、フィルタハウジング１２のフィルタリングチャンバ１６にフィルタカートリッジを据え付ける、又は挿入するだけである。理解可能なように、フィルタカートリッジの先細りする構造は、カートリッジの下向きの移動、又は挿入を促進する。フィルタカートリッジのタブ７０、及びハウジングの垂直ガイド７８、８０は協力して自動的にカートリッジが下向きに移動するように微調整する（直線上に並べる）。つまり、ユーザは、ほとんどの水槽の組み立てにおいてフィルタハウジングの背面側位置では行うことが難しい可能性のある、溝又は二つの平行なガイドレールの間にフィルタカートリッジの端を目視及び微調整することに注意を払う必要がない。むしろ、タブ７０は、自動的にフィルタハウジングの背面壁４２に接触し、フィルタカートリッジ１４を垂直ガイド７８、８０に対して適切な前向き位置に配置する。
【００２４】
タブ７０は、さらに概ね平らな構造を含むように構成され、タブ７０の対向する平らな表面９４、９６が、概ね支持フレーム５０の背面側に垂直になるように、つまり、主平面は濾過媒体５２を通って水が流れる全般的な方向に平行になるように、方向付けされる。
【００２５】
図９を参照すれば、ある実施形態では、傾斜したフィン８６が、フィルタハウジング１２の底面領域に位置していてもよい。傾斜したフィン８６は、フィルタカートリッジ１４の前向きの移動を助けている。据え付けの間にカートリッジが下向きに移動する際に、支持フレーム５０の第二の端５６はフィン８６の傾斜した表面９２に接触し、支持フレーム５０を前方に誘導する。ハウジング１２の背面壁４２はさらに、傾斜構造を含むオプションの支柱９８を含み得る。支柱９８の傾斜構造は、フィルタカートリッジを、フィルタハウジング１２に対して前方の濾過動作位置に適切に配置することを促進する。説明してきた傾斜した支柱９８は、フィルタカートリッジ１４の上部タブ７２、７４のみと接触している。しかしながら、カートリッジの下部タブ７６と接触する下部支柱が、傾斜したフィンの代わりに設けられてもよい。
【００２６】
全般的に、フィルタハウジング１２及びカートリッジ１４は、フィルタカートリッジをフィルタハウジングに対して濾過動作位置に自動的に配置する自己間隔確保構造を提供している。つまり、ユーザがフィルタカートリッジをフィルタリングチャンバ１６に向かって下方向に降ろす又は誘導する際に、フィルタハウジング１２及びカートリッジ１４の間の配置は、フィルタカートリッジ１４をフィルタハウジング１２の中に形成されたシングルリブ４８に対して据え付けるように機能する。従って、フィルタカートリッジの据え付けのために、ユーザはフィルタカートリッジを正確に濾過動作位置に配置することに注意する必要がない。むしろ、ユーザは簡単に、フィルタカートリッジ１４をフィルタハウジング１２の頂上開口部内の濾過動作位置からオフセットされた一般領域に配置することができる。フィルタを下向きに降ろす、又は移動させる際、フィルタカートリッジ１４は自動的に、タブ７０とフィルタハウジング１２の直立背面壁４２の間の接触部によって、前方に移動する。
【００２７】
上の明細書は、本発明の完全な記載を与えている。発明の精神及び意図から逸脱することなく発明の多くの実施形態が可能であるから、発明のある様態を添付の請求項によって付与する。
【図面の簡単な説明】
【００２８】
【図１】開示の発明に従って構成されたフィルタカートリッジ及びフィルタハウジングを含む水槽フィルタの正面から見た斜視図である。
【図２】フィルタハウジングの内部フィルタリングチャンバを示す、図１の水槽フィルタの上から見た斜視図である。
【図３】図１の水槽フィルタの断面の側面から見た概略図である。
【図４】分離して示した、図２のフィルタカートリッジの背後から見た斜視図である。
【図５】図４のフィルタカートリッジの背面から見た立面図である。
【図６】図１の水槽フィルタの上から見た斜視図である。
【図７】フィルタハウジンの一部を切り取って示した、図１の水槽フィルタの側面から見た概略図である。
【図８】フィルタハウジングを背面壁抜きに示した、図２のフィルタハウジングの内部フィルタリングチャンバの背面から見た立体図である。
【図９】図２のフィルタハウジングの内部フィルタリングチャンバの上から見た斜視図である。
【符号の説明】
【００２９】
１０  水槽フィルタ
１２  フィルタハウジング
１４  フィルタカートリッジ
１６  内部フィルタリングチャンバ
１８  フィルタカバー
２０  ドア
２２  メインフィルタハウジング部
２４  ハウジングインプット
２６  ハウジングアウトプット
２８  上流未濾過水チャンバ側
３０  下流濾過水チャンバ側
３６  吸入アセンブリ
３８  （メインフィルタハウジング部２２の）前面壁
４２  （メインフィルタハウジング部２２の）背面壁
４４  （メインフィルタハウジング部２２の）第一の側面壁
４５  （メインフィルタハウジング部２２の）上端
４６  （メインフィルタハウジング部２２の）第二の側面壁
４７  （メインフィルタハウジング部２２の）底面壁
４８  シングルリブ（隆起部）
５０  支持フレーム
５２  濾過材又は濾過媒体
５４  （支持フレーム５０の）第一の端
５６  （支持フレーム５０の）第二の端
５８  ハンドル
６０  前面フレームセクション
６２  背面フレームセクション
６４  カートリッジ内部
６６  横方向横断支持体
６８  水回収構造
７０  タブ
７２  第一の上方タブ
７４  第二の上方タブ
７６  下方タブ
７８  第一の垂直リブ部（垂直ガイド）
８０  第二の垂直リブ部（垂直ガイド）
８２  接合リブ部
８４  蝶番接続
８６  フィン
８８  モータハウジング
９０  吸入チューブ
９２  （フィン８６の）傾いた表面
９４  （タブ７０の）平らな表面
９６  （タブ７０の）平らな表面
９８  支柱
【図１】
2009095337.tif 000003
【図２】
2009095337.tif 000004
【図３】
2009095337.tif 000005
【図４】
2009095337.tif 000006
【図５】
2009095337.tif 000007
【図６】
2009095337.tif 000008
【図７】
2009095337.tif 000009
【図８】
2009095337.tif 000010
【図９】
2009095337.tif 000011
【外国語明細書】
1. Title of Invention
2009095337.tif 000012
2. Detailed Description of Invention
2009095337.tif 000013
2009095337.tif 000014
2009095337.tif 000015
2009095337.tif 000016
2009095337.tif 000017
2009095337.tif 000018
2009095337.tif 000019
2009095337.tif 000020
3. Brief Description of Drawings
2009095337.tif 000021
2009095337.tif 000022
1.Claims
2009095337.tif 000023
2009095337.tif 000024
2009095337.tif 000025
2009095337.tif 000026
1. Abstract
2009095337.tif 000027
2. Representative Drawing
None
2009095337.tif 000028
2009095337.tif 000029
2009095337.tif 000030
2009095337.tif 000031
2009095337.tif 000032
2009095337.tif 000033
2009095337.tif 000034
2009095337.tif 000035
2009095337.tif 000036